(57)【要約】【課題】  ねずみを波型に形成した粘着剤層の山部の山腹に直交するように誘導することができて、捕獲力のさらなる向上を期すことのできる粘着式ねずみ取りを提供できるようにする。【解決手段】  中央部台紙１の左右に、折り目４、４を介して側部台紙２、３が連設され、これら中央部台紙と左右の側部台紙上に粘着剤５層が形成され、この粘着剤層が断面形状において山と谷の連続する波型状をなし、また、中央台紙、左右の側部台紙のそれぞれの前後辺部に、折り目を介して形成された折重ね枠片１ａ、２ａ、３ａがそれぞれ中央台紙、左右の側部台紙上に折り重ねられていて、これら折重ね枠片のうち、少なくとも中央台紙の折重ね枠片１ａを、外側に向かって開くことができるように構成した。【選択図】  図２
2007228827.tif 000002
【特許請求の範囲】
【請求項１】
中央部台紙の左右に、折り目を介して側部台紙が連設され、これら中央部台紙と左右の側部台紙上に粘着剤層が形成され、この粘着剤層が断面形状において山と谷の連続する波型状をなし、また、中央台紙、左右の側部台紙のそれぞれの前後辺部に、折り目を介して形成された折重ね枠片がそれぞれ中央台紙、左右の側部台紙上に折り重ねられていて、これら折重ね枠片のうち、少なくとも中央台紙の折重ね枠片を、外側に向かって開くことができるように構成してなる粘着式ねずみ取り。
【請求項２】
前記左右の側部台紙は、中央部台紙との間の折り目を介して中央部台紙上に折り畳むことができ、この折り畳んだ状態において上記折重ね枠片が中央部台紙と側部台紙間を離間するように構成してなる請求項１に記載の粘着式ねずみ取り。
【発明の詳細な説明】
【技術分野】
【０００１】
本発明は、台紙の上面に粘着剤を塗布してあって、この粘着剤によってねずみを捕らえる粘着式のねずみ取りに関する。
【背景技術】
【０００２】
ねずみ取りには、平坦な台紙上面にねずみを捕捉するための粘着剤が塗布された粘着式のものが従来からあり（例えば、特許文献１参照）、このようなねずみ取りは、ねずみの出没する排水口や配管孔等の出入口となる場所や壁際等のねずみが通路として好む場所にセットして使用する。
【０００３】
また、ねずみの捕獲率を向上すべく提案されたものとして、台紙上面に塗布されている粘着剤層を、断面形状において山と谷が連続する波型状にすることによってねずみの足を粘着剤層に深く入り込ませて捕獲力の向上を図るようにした構成のものがある（例えば、特許文献２参照）。
【０００４】
【特許文献１】実公平３−２３１０４号公報
【特許文献２】特開平８−２４２７４４号公報
【発明の開示】
【発明が解決しようとする課題】
【０００５】
上述のように、粘着剤層を波型状とするものでは、山と谷の連なる方向すなわち長手方向を製造上の仕様の問題から台紙の長手方向と同じとなるようにしか形成することができず、この台紙の長手方向がねずみの進行方向となる。
【０００６】
したがって、ねずみのところで台紙上面に進入するねずみは、波型の粘着剤層に対し、山の連なりに対して沿う方向に進むので、ねずみの足は粘着剤層の山部の山腹に引っ掛かりにくく、捕獲力のさらなる向上の阻害となっている。
【０００７】
本発明は、ねずみを波型に形成した粘着剤層の山部の山腹に直交するように誘導することができて、捕獲力のさらなる向上を期すことのできる粘着式ねずみ取りを提供できるようにすることを課題としている。
【課題を解決するための手段】
【０００８】
上記課題を解決するために、本発明に係る粘着式ねずみ取りは、中央部台紙の左右に、折り目を介して側部台紙が連設され、これら中央部台紙と左右の側部台紙上に粘着剤層が形成され、この粘着剤層が断面形状において山と谷の連続する波型状をなし、また、中央台紙、左右の側部台紙のそれぞれの前後辺部に、折り目を介して形成された折重ね枠片がそれぞれ中央台紙、左右の側部台紙上に折り重ねられていて、これら折重ね枠片のうち、少なくとも中央台紙の折重ね枠片を、外側に向かって開くことができるようにした構成のものとしてある。
【０００９】
また前記左右の側部台紙を、中央部台紙との間の折り目を介して中央部台紙上に折り畳むことができ、この折り畳んだ状態において上記折重ね枠片が中央部台紙と側部台紙間を離間するように構成したものとしてある。
【発明の効果】
【００１０】
本発明の粘着式ねずみ取りによれば、ねずみ取りの中央部台紙の折重ね枠片を開くことができるので、中央部台紙の折重ね枠片を開いた状態で設置することができ、かくするとねずみを波型の粘着剤層における山部の山腹に直交するように進入させることができ、台紙上に進入したねずみの足が山腹に嵌り込み易く、さらに、ねずみが山部を越える時にも腹部や体の毛が粘着剤に接触し、ねずみの捕獲率を向上することができる。
【００１１】
また本発明のねずみ取りは、中央部台紙の折重ね枠片を開いた形態、折り畳んだ状態のいずれの状態でも使用でき、設置場所に応じて使用形態を最も効果的な捕獲を行うことができる。
【発明を実施するための最良の形態】
【００１２】
以下、本発明の粘着式ねずみ取りの実施例を添付図面に示す具体例に基づいて説明する。
本発明の粘着式ねずみ取りは、図１に示すように、中央部台紙１と、この中央部台紙の左右に連接された左右の側部台紙２、３で台紙を構成してあって、中央部台紙１、左右の側部台紙２、３におけるそれぞれの前後辺部に、折り目１ｃ、２ｃ、３ｃを介して折重ね枠片１ａ、２ａ、３ａを形成してあり、これら折重ね枠片は折り目を谷折りにして台紙上に折り重ねられるようになっている。
【００１３】
前記中央部台紙１と、左右の側部台紙２、３との間には、互いに平行をなすように設けた２本の折り目４、４によりマチ部４ａがそれぞれ設けられていて、このマチ部４ａの幅は、少なくとも台紙の厚さの２倍以上の幅となっている。
【００１４】
上記折り目４、４およびマチ部４ａを設けてあることにより、ねずみ取りの未使用状態においては左右の側部台紙２、３を中央台紙１の上側に折り畳んでおくことができるようになっていて、前記折重ね枠片１ａ、２ａ、３ａは左右の側部台紙を折り畳んだ際のスペーサとして機能するようになっている。
【００１５】
また、中央部台紙１および左右の側部台紙２、３の上面には粘着剤５による粘着剤層が形成されており、この粘着剤層は図３、４に示されるように山５ａと谷５ｂとが連続する波型状で、これら山と谷の長手方向が一方の側部台紙から中央台紙を経て他方の側部台紙に至る横長の筋状に形成されている。
【００１６】
なお、上記粘着剤５の成分は、例えば主剤のポリブテンに流動抑止剤、例えば、超微粒子状無水シリカを数パーセント混入したもので構成してあって、波型状を安定して維持できるように構成してある。
【００１７】
また粘着剤５は、側部台紙２、３の各遊端２ｂ、３ｂにその先端部から内方に適当な幅で粘着剤５を塗布していない部分を有するように構成してあり、ねずみが側部台紙に乗った際、初めは足裏に粘着剤５による違和感を与えないようにして中央に進入させ易いようにしてある。
【００１８】
しかして本発明のねずみ取りにおいては、少なくとも中央台紙１における前記折重ね枠片１ａ、１ａが、図２に示されるように外側に向かって開いた状態とすることができるようになっていて、折重ね枠片を折畳んだ状態と開いた状態のいずれの状態でも使用できるようになっている。
【００１９】
なお、図３および図４はそれぞれ中央部台紙１の折重ね枠片１ａを、折り目１ｃを介して台紙上に折重ねた状態と、台紙の外側に開いた状態を、ねずみ取り中央断面をその側方から示したものである。
【００２０】
また上記折り目１ｃは、図５に拡大して示されるように、折重ね枠片１ａを外側に開いた状態で本ねずみ取りを設置した際、折重ね枠片１ａの端部１ｂが、ねずみ取りの設置面に対して接触した状態、すなわち折重ね枠片１ａが中央部台紙１に対してフラットな状態を維持できるような折り目１ｃとしてあり、例えば図５に示されるように、折り目１ｃが断面において上方に向かって切り込むような形状になっており、これによって折重ね枠片１ａの開閉を容易に行うことができ、かつ折重ねた状態および開いた状態を維持できるようにしてある。
【００２１】
前述した中央部台紙１の折重ね枠片１ａと側部台紙２、３の遊端２ｂ、３ｂは台紙上面に対してフラットで、例えば、紙材の厚みそのものとなっているので、床６面と中央部台紙１の折重ね枠片１ａの上面、側部台紙２、３の遊端２ｂ、３ｂの上面との段差は紙材の厚さ分だけであり、その段差は殆ど無視でき、段差等の障害物に敏感なねずみに警戒されることなく中央部台紙１の折重ね枠片１ａの上面や側部台紙２、３の上面に進入させることができる。
【００２２】
本発明の粘着式ねずみ取りは、図６および図７に示すように、本粘着式ねずみ取りの粘着剤５が塗布された面を上面にしてねずみ７の出没口や通路に配置して使用する。
図６は、中央部台紙１の上下両辺に有する折重ね枠片１ａを開いて、ねずみ７の出没場所に配置したものであり、ねずみ７を、中央部台紙１の開かれた折重ね枠片１ａの遊端１ｂや側部台紙２、３の遊端２ｂ、３ｂの４方向から台紙上に進入させることができる。
【００２３】
そしてねずみの進入方向が中央部台紙１の折重ね枠片１ａからの場合は、図８で示すように、ねずみ７は波型状の粘着剤５における山５ａの連なりに対して直交するように進入してくるので、進入したねずみ７の足は粘着剤５の山５ａの山腹に嵌り込み、また、ねずみ７が山部を越えようとする時にも腹部や体の毛が粘着剤５の山５ａに接触し、ねずみは粘着剤５の粘着力によって拘束される。
【００２４】
また、ねずみ７が側部台紙２、３のいずれかの遊端２ｂ、３ｂからの進入した場合、ねずみ７は、側部台紙２上や側部台紙３上の移動の際に足に粘着剤５による違和感に気づきながらも山５ａや谷５ｂの連なりに対して平行に進むが、中央部台紙１に移動すると折重ね枠片１ａが開かれているので、ねずみ７は足の違和感を避けて脱出しようとして、外側に開かれている折重ね枠片１ａの遊端を目指し、進行方向を変えることにより、図８で示すように、ねずみ７は波型状の粘着剤５に対向するように進行し、ねずみ７の足は粘着剤５の山５ａの山腹にめり込み、また、ねずみ７が山部を越えようとする時にも腹部や体の毛が粘着剤５の山５ａに接触し、ねずみは粘着剤５によって捕らえられる。
【００２５】
図７は、本発明の粘着式ねずみ取りを壁６ａのコーナー部分に配置したもので、中央部台紙１の壁側とは反対側の折重ね枠片１ａを開くとともに、一方の側部台紙３を壁６ａに立てかけて設置してある。
【００２６】
上述した設置状態のねずみ取りに対して、ねずみ７は中央部台紙１の開かれた折重ね枠片１ａの遊端１ｂまたは他方の側部台紙２の遊端２ｂの２方向から台紙内に進入することができる。
【００２７】
そしてねずみの進入方向が中央部台紙１の折重ね枠片１ａ側からの場合は、図８で示すように、ねずみ７は波型状の粘着剤５に対向するように進入してくるので、進入したねずみ７の足は粘着剤５の山５ａの山腹にめり込み、また、ねずみ７が山部を越えようとする時にも腹部や体の毛が粘着剤５の山５ａに接触し、ねずみは粘着剤５に接着される。
【００２８】
また、ねずみ７が側部台紙２の遊端２ｂから進入した場合、ねずみ７は、側部台紙２上の移動の際に足に粘着剤５による違和感を生じつつも山５ａや谷５ｂの連なりに対して平行に進行し、中央部台紙１に移動すると進行方向が折重ね枠片１ａ方向だけとなるので、図８で示すように、ねずみ７は波型状の粘着剤５における山の連なりに直交する方向に進路を変え、このためねずみ７の足は粘着剤５の山５ａの山腹にめり込み、また、ねずみ７が山部を越えようとする時にも腹部や体の毛が粘着剤５の山５ａに接触し、ねずみは粘着剤５によって捉えられる。
【００２９】
上述した図８に示される設置状態においては、ねずみが方向転換をしようとする際に、壁６ａに立てかけた側部台紙３の粘着剤５がねずみの側部あるいは後部に粘着し易く、捕獲力のさらなる向上を期すことができる。
【００３０】
なお、中央部台紙１における折重ね枠片１ａ、１ａは、設置場所にかかわらず図７に示されるように両方を開いた状態で使用する場合もあるし、図８に示されるように一方だけを開いた状態で使用する場合もある。
【００３１】
また、側部台紙２、３における折重ね枠片２ａ、３ａは折り畳んだ状態を維持するように側部台紙上面に接着しておいてもよいが、中央部台紙の折重ね枠片１ａと同様に開閉できるようにする場合もある。
【図面の簡単な説明】
【００３２】
【図１】本発明に係る粘着式ねずみ取りの実施例を示す平面図。
【図２】折重ね枠片を開いた状態の平面図。
【図３】折重ね枠片を折畳んだ状態を側方から示す中央部台紙の断面図。
【図４】折重ね枠片を開いた状態を側方から示す中央部台紙の断面図。
【図５】中央部台紙と折重ね枠片との間の拡大断面図。
【図６】粘着式ねずみ取りの設置状態の一例を示す斜視図。
【図７】粘着式ねずみ取りの設置状態の他の例を示す斜視図。
【図８】ねずみの捕獲状態を側方から示す断面図。
【符号の説明】
【００３３】
１  中央部台紙
１ａ  折重ね枠片
１ｂ  遊端
１ｃ  折り目
２  側部台紙
２ａ  折重ね枠片
２ｂ  遊端
２ｃ  折り目
３  側部台紙
３ａ  折重ね枠片
３ｂ  遊端
３ｃ  折り目
４  折り目
４ａ  マチ部
５  粘着剤
５ａ  山
５ｂ  谷
６  床
６ａ  壁
７  ねずみ
【図１】
2007228827.tif 000003
【図２】
2007228827.tif 000004
【図３】
2007228827.tif 000005
【図４】
2007228827.tif 000006
【図５】
2007228827.tif 000007
【図６】
2007228827.tif 000008
【図７】
2007228827.tif 000009
【図８】
2007228827.tif 000010